(57)【要約】【課題】情報端末に蓄積された情報データに新しいものがあること、また音声データに未再生のものがあることを簡単に判別できる情報端末を提供する。【解決手段】情報端末２０１は、音声操作手段２０４の操作で音声入力手段２０３から入力した音声データをを音声メモリ手段２０５に保存し、音声操作手段２０４の操作で音声メモリ手段２０５に保存した音声データを音声出力手段２０２から再生する機能を備え、情報メモリ手段２０８は、情報供給手段２１７から通信手段２０６を介して入手した情報を保存し、情報操作手段２０７の操作で情報メモリ手段２０８に保存した情報を表示手段２１１に表示する機能を備え、情報メモリ手段２０８に新しい情報が保存されたとき、または、音声メモリ手段２０５に新しい音声データが保存されたとき、新着表示手段２１０が点灯または点滅する。【選択図】図２
2006166181.tif 000002
【特許請求の範囲】
【請求項１】
音声入力手段と、音声出力手段と、音声メモリ手段と、操作手段とを有して、前記操作手段の操作で前記音声入力手段から入力した音声データを前記音声メモリ手段に保存し、前記操作手段の操作で前記音声メモリ手段に保存した音声データを前記音声出力手段から再生する機能を備え、
通信手段と、情報メモリ手段と、表示手段とを有し、前記情報メモリ手段は、外部の情報供給手段から前記通信手段を介して入手した情報を前記情報メモリ手段に保存し、前記操作手段の操作で前記情報メモリ手段に保存した情報を前記表示手段に表示する機能を備え、
新着表示手段を有して、前記情報メモリ手段に新しい情報が保存されたとき、または、前記音声メモリ手段に新しい音声データが保存されたとき、前記新着表示手段が点灯または点滅する情報端末。
【請求項２】
情報要求手段を有し、前記情報要求手段は通信手段を介して定期的に情報供給手段に情報を要求する請求項１に記載の情報端末。
【請求項３】
情報要求手段を有し、前記情報要求手段は通信手段を介して１日に１回、情報供給手段に情報を要求する請求項１から２のいずれか１項に記載の情報端末。
【請求項４】
情報要求手段とカウント手段を有し、前記情報要求手段は通信手段を介して１日に前記カウント手段で決めた回数、情報供給手段に情報を要求する請求項１から２のいずれか１項に記載の情報端末。
【請求項５】
情報要求手段を有し、電源投入時に前記情報要求手段は通信手段を介して情報供給手段に情報を要求する請求項１から４のいずれか１項に記載の情報端末。
【請求項６】
情報要求手段を有し、操作手段で操作した時に前記情報要求手段は通信手段を介して情報供給手段に情報を要求する請求項１から５のいずれか１項に記載の情報端末。
【請求項７】
情報メモリ手段は、情報供給手段にある複数の情報の内、あらかじめ決められた数の情報を通信手段を介して入手・保存する請求項１から６のいずれか１項に記載の情報端末。
【請求項８】
情報メモリ手段が入手・保存するあらかじめ決められた数の情報は、情報供給手段にある複数の情報の内、前記情報供給手段に保存された時期が遅い情報から選択する請求項７に記載の情報端末。
【請求項９】
情報メモリ手段は、通信手段を介して情報供給手段から入手した情報を上書きして保存する請求項１から８のいずれか１項に記載の情報端末。
【請求項１０】
新旧比較手段を有し、前記新旧比較手段は情報メモリ手段に新たに保存した情報と、以前保存していた情報を比較し、新しい情報が前記情報メモリ手段に保存されたとき、または、前記音声メモリ手段に新しい音声データが保存されたときに、前記新着表示手段が点滅または点灯する請求項１から９のいずれか１項に記載の情報端末。
【請求項１１】
操作手段の操作で表示手段に情報を表示したとき新着表示手段を消灯する請求項１から１０のいずれか１項に記載の情報端末。
【請求項１２】
操作手段の操作で音声を再生したとき新着表示手段を消灯する請求項１から１１のいずれか１項に記載の情報端末。
【請求項１３】
操作手段の操作で情報メモリ手段に蓄積している情報のリストを確認したとき新着表示手段を消灯する請求項１から１２のいずれか１項に記載の情報端末。
【請求項１４】
操作手段の操作で音声メモリ手段に蓄積している音声データのリストを確認したとき新着表示手段を消灯する請求項１から１３のいずれか１項に記載の情報端末。
【請求項１５】
請求項１から１４のいずれかに記載の情報端末が有する機能の少なくとも一部をコンピュータにより実行するためのプログラム。
【発明の詳細な説明】
【技術分野】
【０００１】
本発明は、ガス給湯器や石油給湯器や電気温水器やヒートポンプ給湯器などの温水を生成して給湯や暖房等に利用する温水利用装置システムのリモコンや、各種電気機器のリモコンや、パソコンや、携帯情報端末などの、ネットワークに接続してネットワークから入手した情報を表示する情報端末およびそのプログラムに関するものである。
【背景技術】
【０００２】
インターネットなどに接続してサーバなどから情報を入手する機能と入手した情報を表示する機能を有する情報端末は多く普及している。また入手した情報が新着情報であったときに新着情報を入手した旨を表示する情報端末も一般的な方法として普及している（特許文献１参照）。また、伝言などの音声を記憶して再生できる機能を有する情報端末も市場に存在する。
【０００３】
従来例の情報端末の構成を図５に示す。図５において、１は従来例の情報端末で、２は情報端末１の通信手段、３は情報操作手段でスイッチなどで構成されている。４は情報メモリ手段で入手した情報を蓄積し、５は表示手段で入手した情報を表示する。６は新着表示手段で入手した情報が新着情報であった場合に点灯する。７はスイッチなどで構成された音声操作手段、８は音声データを蓄積する音声メモリ手段、９はスピーカなどで構成された音声出力手段、１０はマイクなどで構成された音声入力手段である。１１はインターネットで、情報端末１と１２の情報供給手段に接続されている。情報供給手段１２はここでは各種情報を蓄積しインターネットを介して配信するサーバであるとする。
【０００４】
次に図５を用いて従来例の動作を説明する。情報端末１はインターネット１１を介して情報供給手段１２から各種情報を入手する。入手する情報は通信手段２で受信し、情報メモリ手段４に蓄積される。情報メモリ手段４に蓄積された情報は情報操作手段３の操作で表示手段５に表示される。この時、情報メモリ手段４に蓄積された情報が新着情報であった場合は新着表示手段６が点灯する。
【０００５】
また、音声操作手段７の操作で音声入力手段１０から入力された音声データは音声メモリ手段８に蓄積される。音声操作手段７の操作で音声出力手段９から再生される。蓄積され再生される音声データは伝言などに使用される。
【特許文献１】特開２００４−１２８６２４号公報
【発明の開示】
【発明が解決しようとする課題】
【０００６】
しかしながら、前記図５に示す従来例の構成では、情報端末に蓄積された音声データに未再生のものがあるか否かを簡単に判別できないという課題があった。
【課題を解決するための手段】
【０００７】
前記従来の課題を解決するために、本発明の情報端末およびそのプログラムは、音声入力手段と、音声出力手段と、音声メモリ手段手段と、操作手段とを有して、前記操作手段の操作で前記音声入力手段から入力した音声を前記音声メモリ手段手段に保存し、前記操作手段の操作で前記音声メモリ手段に保存した音声を前記音声出力手段から再生する機能を備え、通信手段と、情報メモリ手段と、表示手段を有して、前記情報メモリ手段は情報供給手段から前記通信手段を介して入手した情報を保存し、前記操作手段の操作で前記情報メモリ手段に保存した情報を前記表示手段に表示する機能を備え、新着表示手段を有して、前記情報メモリ手段に新しい情報が保存されたとき、または、前記音声メモリ手段に新しい音声が保存されたとき、前記新着表示手段が点灯または点滅する情報端末としたものである。また、情報要求手段、カウント手段、新旧比較手段を有する情報端末としたものである。
【発明の効果】
【０００８】
本発明の情報端末およびそのプログラムは、新着情報の有無または未確認の新着情報の有無と、記憶した音声データに未再生のものがあるか否かまたは未確認の未再生音声データの有無とを簡単に判別できるという、使用者にとって極めて利便性の高い効果を有する。
【発明を実施するための最良の形態】
【０００９】
第１の発明は、音声入力手段と、音声出力手段と、音声メモリ手段と、操作手段とを有して、前記操作手段の操作で前記音声入力手段から入力した音声を前記音声メモリ手段に保存し、前記操作手段の操作で前記音声メモリ手段に保存した音声を前記音声出力手段から再生する機能を備え、通信手段と、情報メモリ手段と、表示手段とを有し、前記情報メモリ手段は情報供給手段から前記通信手段を介して入手した情報を保存し、前記操作手段の操作で前記情報メモリ手段に保存した情報を前記表示手段に表示する機能を備え、新着表示手段を有して、前記情報メモリ手段に新しい情報が保存されたとき、または、前記音声メモリ手段に新しい音声が保存されたとき、前記新着表示手段が点灯または点滅する情報端末を実現することができる。これにより、新着情報または新しい音声データを蓄積したことを容易に認識することができる情報端末を実現できる。
【００１０】
第２の発明は、情報要求手段を有し、前記情報要求手段は通信手段を介して定期的に情報供給手段に情報を要求する情報端末を実現することができる。これにより新着情報の蓄積を通信の手順とリンクして確実に処理することができ、新着情報または新しい音声データを蓄積したことを容易に認識することができる情報端末を実現できる。
【００１１】
第３の発明は、情報要求手段を有し、前記情報要求手段は通信手段を介して１日に１回、情報供給手段に情報を要求する情報端末を実現することができる。これにより通信のトラフィックを意識することなく新着情報の蓄積を通信の手順とリンクして確実に処理することができ、新着情報または新しい音声データを蓄積したことを容易に認識することができる情報端末を実現できる。
【００１２】
第４の発明は、情報要求手段とカウント手段を有し、前記情報要求手段は通信手段を介して１日に前記カウント手段で決めた回数、情報供給手段に情報を要求する情報端末を実現することができる。これにより入手する情報のリアルタイム性が高く、新着情報の蓄積を通信の手順とリンクして確実に処理することができ、新着情報または新しい音声データを蓄積したことを容易に認識することができる情報端末を実現できる。
【００１３】
第５の発明は、情報要求手段を有し、電源投入時に前記情報要求手段は通信手段を介して情報供給手段に情報を要求する情報端末を実現することができる。これにより新着情報の蓄積を通信の手順とリンクして情報端末に電源が投入されたときに、即ち使用開始時に情報端末からの要求で確実に処理することができ、新着情報または新しい音声データを蓄積したことを容易に認識することができる情報端末を実現できる。
【００１４】
第６の発明は、情報要求手段を有し、操作手段で操作した時に前記情報要求手段は通信手段を介して情報供給手段に情報を要求する情報端末を実現することができる。これにより新着情報の蓄積を通信の手順とリンクして情報端末の操作手段で所定の操作をしたときに、即ち使用開始時に情報端末からの要求で確実に処理することができ、新着情報または新しい音声データを蓄積したことを容易に認識することができる情報端末を実現できる。
【００１５】
第７の発明は、情報メモリ手段は、情報供給手段にある複数の情報の内、あらかじめ決められた数の情報を通信手段を介して入手・保存する情報端末を実現することができる。これにより既に情報端末が入手済みの情報も含めて一定数の情報を入手するため、入手する情報が新着情報か否かに関わらず入手した後に、新着情報があるか否かを判別すればよく、簡易な手順で新着情報または新しい音声データを蓄積したことを容易に認識することができる情報端末を実現できる。
【００１６】
第８の発明は、情報メモリ手段が入手・保存するあらかじめ決められた数の情報は、情報供給手段にある複数の情報の内、前記情報供給手段に保存された時期が遅い情報から選択する情報端末を実現することができる。これにより既に情報端末が入手済みの情報も含めて一定数の情報を入手するため、入手する情報が新着情報か否かに関わらず入手した後に、新着情報があるか否かを判別すればよく、また、入手する情報は新しいものから順次入手すればよく、簡易な手順で新着情報または新しい音声データを蓄積したことを容易に認識することができる情報端末を実現できる。
【００１７】
第９の発明は、情報メモリ手段は、通信手段を介して情報供給手段から入手した情報を上書きして保存する情報端末を実現することができる。これにより既に入手した情報が新着情報か否かに関わらず、情報供給手段から入手した情報を情報メモリ手段に書き込んだ後で判別すればよく、新着情報または新しい音声データを蓄積したことを容易に認識することができる情報端末を実現できる。
【００１８】
第１０の発明は、新旧比較手段を有し、前記新旧比較手段は情報メモリ手段に新たに保存した情報と、以前保存していた情報を比較し、新しい情報が前記情報メモリ手段に保存されたとき、または前記音声メモリ手段に新しい音声が保存されたとき、前記新着表示手段が点滅または点灯する情報端末を実現することができる。これにより、新着情報または新しい音声データを蓄積したことを容易に認識することができる情報端末を実現できる。
【００１９】
第１１の発明は、操作手段の操作で表示手段に情報を表示したとき新着表示手段を消灯する情報端末を実現することができる。これにより、新着情報または新しい音声データを蓄積したことを容易に認識することができ、加えて、新着情報を確認した後は確認済みであることを認識することができる情報端末を実現できる。
【００２０】
第１２の発明は、操作手段の操作で音声を再生したとき新着表示手段を消灯する情報端末を実現することができる。これにより、新着情報または新しい音声データを蓄積したことを容易に認識することができ、加えて、新しい音声情報を確認した後は確認済みであることを認識することができる情報端末を実現できる。
【００２１】
第１３の発明は、操作手段の操作で情報メモリに蓄積している情報のリストを確認したとき新着表示手段を消灯する情報端末を実現することができる。これにより、新着情報または新しい音声データを蓄積したことを容易に認識することができ、加えて、新着情報のリストを確認した後は確認済みであることを認識することができる情報端末を実現できる。
【００２２】
第１４の発明は、操作手段の操作で音声メモリ手段に蓄積している音声データのリストを確認したとき新着表示手段を消灯する情報端末を実現することができる。これにより、新着情報または新しい音声データを蓄積したことを容易に認識することができ、加えて、新しい音声情報のリストを確認した後は確認済みであることを認識することができる情報端末を実現できる。
【００２３】
第１５の発明は、情報端末が有する機能の少なくとも一部をコンピュータにより実行するためのプログラムとしている。そして、プログラムであるので、電気・情報機器、コンピュータ、サーバー等のハードリソースを協働させて本発明の情報端末の少なくとも一部を容易に実現することができる。また記録媒体に記録したり通信回線を用いてプログラムを配信したりすることでプログラムの配布・更新やそのインストール作業が簡単にできる。
【００２４】
以下、本発明の実施の形態について、図面を参照しながら説明する。なお、この実施の形態によって本発明が限定されるものではない。
【００２５】
（実施の形態１）
本発明の実施の形態における情報端末の構成を図１、図２、図３、図４に示して説明する。図１において１０１は温水利用装置でここでは風呂への湯はり、台所での出湯ができるガス給湯器であるとする。１０１は電気温水器、石油給湯器、ヒートポンプ給湯器、燃料電池などのコジェネシステムなどでもよい。
【００２６】
１０２は情報端末で、ここでは温水利用装置１０１の第１のリモコンで台所に設置するリモコンであるとする。１０３は第２のリモコンでここでは浴室に設置する温水利用装置１０１のリモコンであるとする。１０４は温水利用装置１０１への給水配管、１０５は温水利用装置１０１で生成した温水の出湯配管で出湯のためのバルブ（蛇口）を有している。１０６と１１８はそれぞれ第１のリモコン（情報端末）１０２と第２のリモコン１０３の表示手段で出湯温水の設定温度等を表示する。また後述するが表示手段１０６はインターネットにからの情報も表示できるものとする。
【００２７】
１０７と１１９はそれぞれ第１のリモコン（情報端末）１０２と第２のリモコン１０３の出湯温水の設定温度を上げるための温度アップスイッチ（温度設定スイッチ）、１０８と１２０は出湯温水の設定温度を下げるための温度ダウンスイッチ（温度設定スイッチ）、１０９と１２１は温水利用装置１０１の入／切スイッチを示す。
【００２８】
１１５はインターネット網、１１６は情報供給手段であり、第１のリモコン（情報端末）１０２はインターネット網１１５と接続する機能を有しており、簡単に前述したが、表示手段１０６はインターネット１１５を介して情報供給手段１１６から入手した情報を表示することができる。第１のリモコン（情報端末）１０２とインターネット１０５の接続にはルータ、ハブ、モデム、サーバなどの機器が必要な場合もある。
【００２９】
１１０と１１１は画面切り換えスイッチで、スイッチ１１０を押したとき出湯温度を表示手段１０６に表示し、スイッチ１１１を押したときインターネット１１５を介して情報供給手段１１６から入手した情報を表示する。１１２は新着表示手段でここではＬＥＤであるとする。１１３は音声出力手段の音声出力部であるスピーカ、１１４は音声入力手段の音声入力部であるマイクである。
【００３０】
図２において、２０１は第１のリモコン（情報端末）１０２に相当し、２１７は情報供給手段１１６に相当する。また、２１６はインターネット１１５に相当する。
【００３１】
２０４は音声操作手段、２０５は音声出力手段、２０２はスピーカ１１３を含む音声出力手段、２０３はマイク１１４を含む音声入力手段である。また、２０７は情報操作手段、２０８は情報メモリ手段、２０９は比較手段、２１０は新着表示手段１１２に相当し、２１１は表示手段１０６に相当する。また、２０６は通信手段でインターネット２１６と接続しており、２１２は情報要求手段、２１３は時計手段、２１４はカウンタ手段、２１５は情報端末２０１の電源手段である。また、２１８は情報供給手段の通信手段でインターネット２１６に接続している。２１９はメモリ手段、２２０は供給数決定手段、２２１は供給条件決定手段である。
【００３２】
次に図１と図２と図３と図４を用いて本実施例の動作を説明する（図３と図４の構成については後述する）。温水利用装置１０１が生成する温水の温度は第１のリモコン（情報端末）１０２と第２のリモコン１０３で設定できる。具体的には温度アップスイッチ１０７、１１９と温度ダウンスイッチ１０８、１２０を操作することで実現できる。設定した温度は表示手段１０６と１１８に表示する。また入／切スイッチ１０９、１２１の操作で温水利用装置１０１を入／切できる。温水利用装置１０１が入の状態で出湯配管１０５の蛇口を開くと、給水配管１０４から供給された水は、温水利用装置１０１で昇温され設定温度の温水を出湯配管１０５から出すことができる。またこれら第１のリモコン（情報端末）１０２と第２のリモコン１０３と温水利用装置１０１間のやりとりは、図示していないが相互間の通信で実現している。
【００３３】
スイッチ１１０を押したとき表示手段１０６には温水利用装置１０１に関する操作画面を表示する。これは例えば出湯温度の状態表示や出湯温度の設定表示や出湯湯量の状態表示や出湯湯量の設定表示やその他の設定画面などで、ここでは表示手段１０６はタッチパネル付きの液晶表示器としているので表示手段１０６に表示したタッチパネルスイッチの画面に従って操作を進めることができる。
【００３４】
一方、スイッチ１１１を押したとき表示手段１０６にはインターネット１１５を介して情報提供手段１１６から入手する情報や第１のリモコン（情報端末）１０２内のメモリに格納されたサービスを表示する。一例を図３と図４に示す。
【００３５】
図３と図４において、３０１は第１のリモコン（情報端末）１０２に相当し、３０２は表示手段１０６、２１１に相当する。ここではタッチパネル付きの液晶画面であるとする。３０３はスイッチ１１１に相当し、３０４は新着表示手段１１２、２１０に相当する。
【００３６】
３０５、３０６、３０７、３０８は表示手段３０２上に表示した画面及びタッチパネルで構成したスイッチ、４０５、４０６、４０７、４０８は表示手段４０２上に表示した画面及びタッチパネルで構成したスイッチである。
【００３７】
図３の表示手段３０２と図４の表示手段４０２に表示した内容が前記したサービスの一例である。ここでは「お知らせ」「デイリー」「料理レシピ」「音声メモ」「ガス使用量」の文字がこれらを示すイラストとともにアイコンとして表示されている。このアイコンが表示手段３０２、４０２上に表示したタッチパネルスイッチとなる。「お知らせ」アイコンを押したとき情報供給手段１１６からお知らせ情報データが送付され、表示手段３０２に表示する。「デイリー」アイコンを押したとき情報供給手段１１６からニュース、天気予報、占いなどのデイリー情報データが送付され、表示手段３０２に表示する。「料理レシピ」アイコンを押したとき情報供給手段１１６から料理レシピ情報データが送付され、表示手段３０２に表示する。「音声メモ」アイコンを押したとき第１のリモコン（情報端末）３０１に蓄積した音声メモデータを再生、または録音する画面を表示手段４０２に表示する。「ガス使用量」アイコンを押したとき情報供給手段１１６からガス使用量情報データが送付され、表示手段０２に表示する。
【００３８】
ここでは、お知らせと、音声メモのアイコンにのみ、３０５と４０５の番号を付与している。詳細の動作については後述する。
【００３９】
図１を用いた本実施例の動作説明に戻る。図１において情報供給手段１１６からインターネット１１５を介して新しい情報が送られてきたとき、またはマイク１１４から新しい音声メモデータが録音されたとき、新着表示手段１１２は点灯または点滅して、このことを知らせる。スピーカ１１３は録音した音声メモの再生などに使用する。
【００４０】
以上の動作の詳細を図２を用いて説明する。情報メモリ手段２０８にはインターネット２１６を介して情報供給手段２１７から入手した「お知らせ」情報データを格納する。この動作には以下の２種類の方法がある。
【００４１】
第１の方法は、情報要求手段２１２に情報要求が発生したとき、情報要求手段２１２は通信手段２０６とインターネット２１６を介して情報供給手段２１７に対して情報要求する。情報要求された情報供給手段２１７は情報データを格納したメモリ手段２１９から通信手段２１８、インターネット２１６、通信手段２０６を介して情報メモリ手段２０８に情報データを格納する。
【００４２】
このとき情報供給手段２１７内では供給数決定手段２２０により決められた数の情報データを送付することができるとしてもよい。また、供給条件決定手段２２１で決定した条件の情報データを送ることができるとしてもよい。具体的な例としてはメモリ手段２１９に格納した情報データのうち、格納した時刻の遅い情報データから順に供給数決定手段２２０で決めた数の情報データを送付するというものである。また、供給数決定手段２２０で決める値と、供給条件決定手段２２１で決める条件を第１のリモコン（情報端末）２０１からインターネット２１６を介して情報供給手段２１７に伝えるとしても良い。
【００４３】
情報要求手段２１２に情報要求を発生させる方法としては以下のものがある。情報操作手段２０７の操作で情報を要求したとき。また、電源手段２１５が停電から復帰したとき。また、時計手段２１３で計時した時刻があらかじめ決めた時刻になったとき。この場合、例えば１日に何回、何時に情報要求を発生させるかは、カウンタ手段２１４と時計手段２１３の連携で行う。
【００４４】
第２の方法は、供給条件決定手段２２１で決定した条件になったとき、メモリ手段２１９に格納した情報データを通信手段２１８、インターネット２１６、通信手段２０６を介して情報メモリ手段２０８に伝達する方法である。この時、供給数決定手段２２０で決定した数の情報データを、供給条件決定手段２２１で決定した条件で送出しても良い。また、供給数決定手段２２０で決める値と、供給条件決定手段２２１で決める条件を第１のリモコン（情報端末）２０１からインターネット２１６を介して情報供給手段２１７に伝えるとしても良い。
【００４５】
情報メモリ手段２０８に格納した情報データは情報操作手段２０７の操作で表示手段２１１に表示する。
【００４６】
次に音声データについて説明する。音声操作手段２０４の操作で音声入力手段２０３から音声データを録音し、音声メモリ手段２０５に格納する。音声メモリ手段２０５に格納した音声データは音声操作手段２０４の操作で音声出力手段２０２から再生する。ここでは録音、再生する音声データは、例えば母から子に対して「おやつは冷蔵庫に入ってますよ。」や、夫から妻に対して「電子レンジで温めて食べて下さい。」などの簡単な伝言などに使用されるとする。
【００４７】
以上のように、情報メモリ手段２０８と音声メモリ手段２０５に格納した情報データと音声データはそれぞれ比較手段２０９で以前に格納していたものとの比較を行う。比較の結果、情報メモリ手段に格納した情報データが以前格納していた情報データに対して新しいものがある場合、または、音声メモリ手段に格納した音声データが以前格納していた音声データに対して新しいものがある場合は、新着表示手段２１０を点灯または点滅させる。
【００４８】
以上の動きを図３と図４を用いて具体例で説明する。図３においてスイッチ３０３を押したとき、表示手段３０２に図示したようなサービス内容を示す画面が表示される。この内、タッチパネル液晶で構成したお知らせアイコン３０５をタッチしたとき、表示手段３０２には３０６の画面が表示される。
【００４９】
これは、情報供給手段２１７から入手し、図示していないが第１のリモコン（情報端末）３０１の情報メモリ手段に格納したお知らせ情報データのリストで、この時点でのお知らせのメニューを表している。この内、３０８のアイコンをタッチしたとき詳細情報データの３０７の画面を表示手段３０２に表示する。
【００５０】
一方、図４においてスイッチ３０３を押したとき、表示手段４０２には記載のようなサービス内容を示す画面が表示される。この内、タッチパネル液晶で構成した音声メモアイコン４０５をタッチしたとき、表示手段４０２には、４０６の画面が表示される。
【００５１】
これは、図示していないが第１のリモコン（情報端末）３０１の音声メモリ手段に録音、格納した音声データのリストで、この時点での音声データのメニューを表している。この内、４０８のアイコンをタッチしたとき対応する音声データを再生する。
【００５２】
即ち、スイッチ３０３、お知らせアイコン３０５、アイコン３０８が図２の情報操作手段２０７に相当する。また、スイッチ３０３、音声メモアイコン４０５、アイコン４０８が図２の音声操作手段２０４に相当する。
【００５３】
以上のような動きで情報データと音声データを第１のリモコン（情報端末）３０１に格納したとき、図３には図示していないが図２の比較手段２０９に相当する構成要素が、情報データと音声データの新旧をそれぞれ比較し、新しい情報データがある場合、または、新しい音声データがある場合に新着表示手段３０４（図２の新着表示手段２１０に相当）を点灯または点滅させる。
【００５４】
新着表示手段３０４の点灯または点滅を消灯する条件は、「お知らせのリストである画面３０６を表示したとき」と「音声メモのリストである画面４０６を表示したとき」のＯＲ条件、またはＡＮＤ条件とすることができる。また、「お知らせのリストである画面３０６を表示したとき」を「お知らせの詳細情報である画面３０７を表示したとき」と置き換えることもできる。また、「音声メモのリストである画面４０６を表示したとき」を「音声メモを再生したとき」と置き換えることもできる。また、画面３０６や画面４０６の上位に別のリスト画面を準備し、これを表示したときにすることもできる。
【００５５】
なお、情報メモリ手段２０８に格納する情報データは「お知らせ」以外の「デイリー」「料理レシピ」「ガス使用量」などの情報データを含むとしてもよく、また、これらの情報データの中に新しいものがある場合も新着表示手段２１０を点灯または点滅させても良いのは言うまでもない。
【００５６】
また、音声操作手段２０４と情報操作手段２０７は同じもので構成しても良い。逆に情報操作手段２０７は情報供給手段２１７に情報データを要求する時に操作するものと、表示手段２１１に表示するときに操作するものを別のもので構成しても良い。
【００５７】
情報メモリ手段２０８と音声メモリ手段２０５に格納する情報データと音声データは、メモリの容量を増やさないために上書きするとしても良い。
【００５８】
なお、スイッチ１１１はインターネットの情報を表示した画面への遷移スイッチであるとしたが、例えば暖房装置を制御するための画面に遷移するためのスイッチなど他の目的のスイッチがリモコンに存在しているとしても良いのは言うまでもない。
【００５９】
また、情報メモリ手段２０８と音声メモリ手段２０５を同一のデバイスで構成しても良い。
【００６０】
また本実施例ではお知らせの表示は第１のリモコン（情報端末）で行ったが、第２のリモコンでも可能だとしても良いのは言うまでもない。またリモコンは３台以上あってもよい。
【００６１】
なお、各構成要素はマイコンなどに組み込んで実現してもよい。本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００６２】
本発明は、ガス給湯器や石油給湯器や電気温水器やヒートポンプ給湯器などの温水を生成して給湯や暖房等に利用する温水利用装置システムのリモコンや、各種電気機器のリモコンや、パソコンや、携帯情報端末などの、ネットワークに接続してネットワークから入手した情報を表示する情報端末およびそのプログラムに利用できる。
【図面の簡単な説明】
【００６３】
【図１】本発明の実施の形態１に示す情報端末と周辺の外観構成を示すブロック図
【図２】本発明の実施の形態１に示す情報端末と周辺の内部構成を示すブロック図
【図３】本発明の実施の形態１に示す情報端末の構成例を示す図
【図４】本発明の実施の形態１に示す情報端末の構成例を示す図
【図５】従来例の情報端末の構成を示すブロック図
【符号の説明】
【００６４】
１０１  温水利用装置
１０２、２０１、３０１  第１のリモコン（情報端末）
１０３、２１７  第２のリモコン
１０６、２１１、３０２  表示手段
１１２、２１０、３０４  新着表示手段
１１３  スピーカ
１１４  マイク
１１５、２１６  インターネット（通信回線）
１１６、２１７  情報供給手段
２０２  音声出力手段
２０３  音声入力手段
２０４  音声操作手段（操作手段）
２０５  音声メモリ手段
２０６  通信手段
２０７  情報操作手段
２０８  情報メモリ手段
２０９  比較手段（新旧比較手段）
２１２  情報要求手段
２１３  時計手段
２１４  カウンタ手段
２１５  電源手段
２１８  通信手段
２１９  メモリ手段
２２０  供給数決定手段
２２１  供給条件決定手段
３０３  スイッチ
３０５  お知らせアイコン
３０６、３０７、４０６、４０７  画面
３０８、４０８  アイコン
４０５  音声メモアイコン
【図１】
2006166181.tif 000003
【図２】
2006166181.tif 000004
【図５】
2006166181.tif 000005
【図３】
2006166181.tif 000006
【図４】
2006166181.tif 000007